(57)【特許請求の範囲】
【請求項１】
直流電源部と、制御部と、切替部と、制御電源部とを備え、
前記直流電源部は、交流電源から供給される交流電力を直流電力に変換し、前記直流電力を光源に供給するように構成され、
前記切替部は、前記直流電源部が前記直流電力を供給するオン状態と、前記直流電源部が前記直流電力を供給しないオフ状態とを択一的に切り替えるように構成され、
前記制御部は、前記切替部を制御して前記直流電源部の前記オン状態と前記オフ状態を切り替えることで前記光源を点減するように構成され、
前記制御電源部は、前記交流電源から入力される交流電圧を整流する整流部と、前記交流電圧が前記整流部で整流された脈流電圧から制御電源電圧を生成し、前記制御電源電圧を前記制御部に供給する制御電源回路と、前記直流電源部から出力される前記直流電力を前記制御電源回路に供給する供給部とを有し、
前記制御電源回路は、前記脈流電圧を平滑する平滑コンデンサと、前記平滑コンデンサと電気的に並列接続されているツェナーダイオードとを有し、
前記ツェナーダイオードのツェナー電圧の電圧値は、前記供給部における電圧降下の電圧値と前記ツェナー電圧の電圧値との合計値を、前記光源を点灯させるために必要な電圧値よりも低くする電圧値であることを特徴とする点灯装置。
【請求項２】
前記整流部は、整流用ダイオードと、電圧降下用の抵抗とを有することを特徴とする請求項１記載の点灯装置。
【請求項３】
前記供給部は、整流用ダイオードと、限流用の抵抗とを有し、
前記供給部の整流用ダイオードのカソードは、前記整流部の前記整流用ダイオードのカソード及び前記ツェナーダイオードのカソードと電気的に接続されていることを特徴とする請求項１又は請求項２記載の点灯装置。
【請求項４】
前記制御部は、所定のトリガが発生した場合に、前記切替部を制御して前記直流電源部の前記オフ状態と前記オン状態とを切り替えることを特徴とする請求項１乃至３のいずれか１項に記載の点灯装置。
【請求項５】
前記トリガは、外部信号の入力であって、
前記制御部は、前記外部信号を取得した場合に、前記切替部を制御して前記直流電源部の前記オフ状態と前記オン状態とを切り替えることを特徴とする請求項４記載の点灯装置。
【請求項６】
検出範囲の照度を検出する照度センサを有するセンサ部を備え、
前記トリガは、前記照度センサにより検出した照度と所定のしきい値との比較結果であって、
前記制御部は、前記照度センサで検出した照度が前記しきい値よりも低くなった場合に、前記切替部を制御して前記直流電源部の前記オフ状態を前記オン状態に切り替え、前記照度センサで検出した照度が前記しきい値よりも高くなった場合に、前記切替部を制御して前記直流電源部の前記オン状態を前記オフ状態に切り替えることを特徴とする請求項４記載の点灯装置。
【請求項７】
検出範囲の存在を検出する人感センサを有するセンサ部を備え、
前記トリガは、前記人感センサによる人の存在の検出結果であって、
前記制御部は、前記人感センサが人の存在を検出した場合に、前記切替部を制御して前記直流電源部の前記オフ状態を前記オン状態に切り替え、前記人感センサが人の存在を検出しなくなった場合に、前記切替部を制御して前記直流電源部の前記オン状態を前記オフ状態に切り替えることを特徴とする請求項４記載の点灯装置。
【請求項８】
請求項１乃至７のいずれか１項に記載の点灯装置と、前記点灯装置を有する器具本体と、を備えたことを特徴とする照明器具。
【発明の詳細な説明】
【技術分野】
【０００１】
本発明は、点灯装置およびそれを備えた照明器具に関する。
【背景技術】
【０００２】
特許文献１には、交流電圧を直流電圧に変換する整流回路と、光源（ＬＥＤ）に直流電流を供給する変換回路と、変換回路を駆動制御する制御回路とを有する点灯装置が記載されている。特許文献１記載の点灯装置は、制御回路に駆動用電圧を供給する制御電源回路を有する。制御電源回路には、整流回路の直流出力からの電圧経路と、出力平滑コンデンサからの電圧経路とのうち、何れか選択された経路から電圧の供給が行われる。
【先行技術文献】
【特許文献】
【０００３】
【特許文献１】特開２０１５−２１６１０２号公報
【発明の概要】
【発明が解決しようとする課題】
【０００４】
ところで、特許文献１に記載されているような点灯装置は、交流電源から給電されている状態において、制御回路が変換回路を停止させることで光源を消灯するように構成される場合がある。この場合、変換回路が停止しているにも関わらず、交流電源から制御電源回路を介して光源に電流が流れて、光源が僅かに発光（微発光）してしまう可能性がある。
【０００５】
本発明の目的は、微発光の発生を抑制できる点灯装置およびそれを備えた照明装置を提供することである。
【課題を解決するための手段】
【０００６】
本発明の一態様に係る点灯装置は、直流電源部と、制御部と、切替部と、制御電源部とを備える。前記直流電源部は、交流電源から供給される交流電力を直流電力に変換し、前記直流電力を光源に供給するように構成されている。前記切替部は、前記直流電源部が前記直流電力を供給するオン状態と、前記直流電源部が前記直流電力を供給しないオフ状態とを択一的に切り替えるように構成されている。前記制御部は、前記切替部を制御して前記直流電源部の前記オン状態と前記オフ状態とを切り替えることで前記光源を点減するように構成されている。前記制御電源部は、前記交流電源から入力される交流電圧を整流する整流部を有する。前記制御電源部は、前記交流電圧が前記整流部で整流された脈流電圧から制御電源電圧を生成し、前記制御電源電圧を前記制御部に供給する制御電源回路を有する。前記制御電源部は、前記直流電源部から出力される前記直流電力を前記制御電源回路に供給する供給部を有する。前記制御電源回路は、前記脈流電圧を平滑する平滑コンデンサと、前記平滑コンデンサと電気的に並列接続されているツェナーダイオードとを有する。前記ツェナーダイオードのツェナー電圧の電圧値は、前記供給部における電圧降下の電圧値と前記ツェナー電圧の電圧値との合計値を、前記光源を点灯させるために必要な電圧値よりも低くする電圧値である。
【０００７】
本発明の一態様に係る照明器具は、点灯装置と、前記点灯装置を有する器具本体とを備える。
【発明の効果】
【０００８】
本発明によれば、微発光の発生を抑制できる点灯装置およびそれを備えた照明装置を提供することができる。
【図面の簡単な説明】
【０００９】
【図１】図１は本発明の一実施形態に係る点灯装置の回路ブロック図である。
【図２】図２は同上の点灯装置の要部回路図である。
【図３】図３Ａは本発明の一実施形態に係る照明器具の断面図、図３Ｂは本発明の別の実施形態に係る照明器具の断面図である。
【発明を実施するための形態】
【００１０】
以下、本発明の一実施形態に係る点灯装置１について、図面を参照して詳細に説明する。
【００１１】
実施形態に係る点灯装置１は、図１に示すように、直流電源部３と、制御部４と、切替部５と、制御電源部６とを備えている。
【００１２】
直流電源部３は、入力保護部２を介して、交流電源ＡＣ１から交流電力が供給される。なお、入力保護部２は、例えばフューズ２０及びフィルタ回路２１で構成されていることが好ましい。また、フィルタ回路２１は、例えばサージ電圧吸収素子２１１、フィルタコンデンサＣ１及びコモンモードチョークコイル２１２で構成されていることが好ましい。直流電源部３は、交流電源ＡＣ１から供給された交流電力を直流電力に変換するように構成されている。直流電源部３は、直流電力を光源１００に供給するように構成されている。なお、光源１００は、例えば複数の発光ダイオードが電気的に直列に接続されて構成されることが好ましい。光源１００として、発光ダイオードを用いた構成を例示したが、これに限定されず、例えば有機ＥＬ（Electro Luminescence）素子を用いた構成にしてもよい。
【００１３】
直流電源部３は、整流平滑回路３１、電力変換回路３２、制御電源回路３４及び制御回路３５を備えている。整流平滑回路３１は、ダイオードブリッジ３１１と、平滑コンデンサＣ２とを有する。ダイオードブリッジ３１１は、交流電源ＡＣ１から出力された交流電圧を全波整流している。平滑コンデンサＣ２は、ダイオードブリッジ３１１で全波整流された脈流電圧・脈流電流を平滑している。電力変換回路３２は、従来周知の降圧チョッパ回路(降圧型のＤＣ／ＤＣコンバータ)で構成されている。電力変換回路３２は、スイッチング素子３２１、インダクタ３２２、ダイオード３２３、抵抗３２４、抵抗３２５、抵抗３２６及び電解コンデンサＣ４を有する。スイッチング素子３２１は、例えば電界効果トランジスタにより構成されている。スイッチング素子３２１のドレインは、平滑コンデンサＣ２の高電位側の端子と電気的に接続されている。スイッチング素子３２１のソースは、ダイオード３２３のカソードに電気的に接続される。また、スイッチング素子３２１のゲートは、抵抗３２４の一端に電気的に接続されている。抵抗３２４の他端は、制御回路３５のゲート駆動出力端子（ＯＵＴ）と電気的に接続されている。ダイオード３２３のアノードは、平滑コンデンサＣ２の低電位側の端子に電気的に接続される。また、ダイオード３２３のアノードは、接地されている。インダクタ３２２の一端は、抵抗３２６の一端と、電気的に接続されている。また、抵抗３２６の一端は、制御回路３５のエラーアンプ入力端子（ＦＢ）と電気的に接続されている。抵抗３２６の他端は、制御回路３５のゼロ電流検出入力端子（ＣＳ）と電気的に接続されている。抵抗３２５の一端は、スイッチング素子Ｑ１のゲート端子と電気的に接続されている。抵抗３２５の他端は、ダイオード３２３のカソードと電気的に接続されている。
【００１４】
制御電源回路３４は、交流電源ＡＣ１から供給される交流電力から、制御回路３５用の制御電源を生成するように構成されている。制御電源回路３４は、ダイオード３４０、抵抗３４１、コンデンサ３４２及びツェナーダイオード３４３を有することが好ましい。ダイオード３４０のアノードは、平滑コンデンサＣ２の高電位側の端子と電気的に接続されている。ダイオード３４０のカソードは、抵抗３４１の一端と電気的に接続されている。抵抗３４１の他端は、コンデンサ３４２の一端と電気的に接続されている。コンデンサ３４２の一端は、ツェナーダイオード３４３のカソードと電気的に接続されている。コンデンサ３４２の他端は、ツェナーダイオード３４３のアノードに電気的に接続される。すなわち、ツェナーダイオード３４３は、コンデンサ３４２に対して、電気的に並列接続されている。また、ツェナーダイオード３４３のアノードは、制御回路３５のグランド端子(ＧＮＤ)と電気的に接続されている。ツェナーダイオード３４３のカソードは、制御回路３５の電源電圧入力端子(ＶＣＣ)と電気的に接続されている。つまり、制御電源回路３４は、平滑コンデンサＣ２で平滑された後の直流電圧を、ツェナーダイオード３４３で一定の電圧(ツェナー電圧)に降圧（クランプ）して、制御回路３５用の制御電源を生成するように構成される。
【００１５】
また、制御回路３５は、スイッチング素子３２１をスイッチング制御するように構成されている。制御回路３５は、電源電圧入力端子(ＶＣＣ)、ゲート駆動出力端子（ＯＵＴ）、グランド端子(ＧＮＤ)及びゼロ電流検出入力端子（ＣＳ）を有する。制御回路３５は、エラーアンプ入力端子（ＦＢ）を有する。制御回路３５は、電源電圧入力端子（ＶＣＣ）に所定の電圧値の電圧が供給されているときに動作する。また、制御回路３５は、電源電圧入力端子（ＶＣＣ）に所定の電圧値の電圧が供給されていないときに停止する。制御回路３５では、電源電圧入力端子（ＶＣＣ）に所定の電圧値以上の電圧が供給されると、スイッチング素子３２１のスイッチングを開始する。また、電源電圧入力端子(ＶＣＣ)がグランド端子（ＧＮＤ）と短絡されて、グランドレベルまで落ちると、スイッチング素子３２１のスイッチングを停止する。また、制御回路３５は、例えば電流臨界モードで電力変換回路３２のスイッチング素子３２１をスイッチング制御する。電流臨界モードとは、スイッチング素子３２１のオフ時に、インダクタ３２２から光源１００に流れる電流(回生電流)がゼロになったときに、スイッチング素子３２１を再びオンとする制御方式である。なお、制御回路３５のゼロ電流検出入力端子（ＣＳ）には、抵抗３２６の両端電圧が回生電流の検出値として入力されている。ただし、このような電流臨界モードの制御方式については、従来周知であるから詳細な説明は省略する。なお、制御回路３５は、汎用の集積回路で構成されることが好ましい。このような集積回路は、例えば、ルネサスエレクトロニクス株式会社製のＬＥＤ照明用コントロールＩＣ(型番：Ｒ２Ａ２０１３４)などが好適である。ただし、このような制御回路３５は、従来周知であるから、詳細な回路構成及び動作の図示並びに説明は省略する。
【００１６】
制御部４は、切替部５を制御して、直流電源部３が直流電圧を供給するオン状態と、直流電圧を供給しないオフ状態とを択一的に切り替えて、光源１００を点減させるように構成されている。制御部４は、マイクロコンピュータ（以下、マイコンという）で構成されていることが好ましい。また、制御部４は、後述のセンサ部４５から出力された検出信号に基づいて、切替部５を制御するように構成されていることが好ましい。例えば、制御部４は、検出信号を取得した場合に、切替部５を制御して、直流電源部３をオフ状態からオン状態に切り替える。制御部４は、検出信号を取得しない場合に、切替部５を制御して、直流電源部３をオン状態からオフ状態に切り替える。
【００１７】
切替部５は、直流電源部３のオン状態とオフ状態とを択一的に切り替えるように構成されている。切替部５は、フォトカプラ５１、抵抗５２、スイッチング素子Ｑ１及び抵抗５３を有する。スイッチング素子Ｑ１は、例えばｎｐｎ型のバイポーラトランジスタで構成されていることが好ましい。スイッチング素子Ｑ１のエミッタ端子は、制御回路３５のグランド端子(ＧＮＤ)と電気的に接続されている。スイッチング素子Ｑ１のコレクタ端子は、制御回路３５の電源電圧入力端子(ＶＣＣ)と電気的に接続されている。フォトカプラ５１の入力側の一端は、制御部４と電気的に接続されている。フォトカプラ５１の入力側の他端は、抵抗５２の一端と電気的に接続されている。抵抗５２の他端は、制御電源部６と電気的に接続されている。フォトカプラ５１の出力側の一端は、スイッチング素子Ｑ１のベース端子と電気的に接続されている。スイッチング素子Ｑ１のベース端子は、抵抗５３の一端と電気的に接続されている。抵抗５３の他端は、制御回路３５の電源電圧入力端子(ＶＣＣ)と電気的に接続されている。フォトカプラ５１の出力側の他端は、制御回路３５のグランド端子(ＧＮＤ)と電気的に接続されている。切替部５では、制御部４によってフォトカプラ５１がオフされ、スイッチング素子Ｑ１をオンする。スイッチング素子Ｑ１がオンすると、制御回路３５の電源電圧入力端子（ＶＣＣ）とグランド端子（ＧＮＤ）とが短絡される。したがって、制御回路３５の電源電圧入力端子（ＶＣＣ）に電圧が供給されない。これにより、直流電源部３がオフ状態になる。また、切替部５では、制御部４によってフォトカプラ５１がオンされ、スイッチング素子Ｑ１をオフする。よって、スイッチング素子Ｑ１がオフすると、制御回路３５の電源電圧入力端子（ＶＣＣ）に所定電圧以上の電圧が供給される。これにより、直流電源部３がオン状態になる。
【００１８】
制御電源部６は、交流電源ＡＣ１から入力される交流電圧を整流する整流部６１を有する。制御電源部６は、交流電圧が整流部６１で整流された脈流電圧から制御電源電圧を生成し、制御電源電圧を制御部４と切替部５に供給する制御電源回路６２を有する。また、制御電源部６は、直流電源部３から出力される直流電力を制御電源回路６２に供給する供給部６３を有する。
【００１９】
整流部６１は、整流用ダイオード６１１と電圧降下用の抵抗６１２とを有する。整流用ダイオード６１１のアノードは、フィルタコンデンサＣ１の他端と電気的に接続されている。整流用ダイオード６１１のカソードは、電圧降下用の抵抗６１２の一端と電気的に接続されている。すなわち、整流部６１は、整流用ダイオード６１１と電圧降下用の抵抗６１２との直列回路で構成されている。
【００２０】
制御電源回路６２は、平滑コンデンサ６２１、ツェナーダイオード６２２及び電圧変換部６２３を有する。平滑コンデンサ６２１は、脈流電流を平滑する。ツェナーダイオード６２２は、平滑コンデンサ６２１の両端に対して電気的に並列接続されている。ツェナーダイオード６２２のカソードは、平滑コンデンサ６２１の高電位側及び電圧降下用の抵抗６１２の他端と電気的に接続されている。また、ツェナーダイオード６２２のアノード及び平滑コンデンサ６２１の低電位側の端子は、接地されている。電圧変換部６２３は、例えば三端子レギュレータで構成されている。電圧変換部６２３の入力端子は、平滑コンデンサ６２１の高電位側の端子に電気的に接続されている。電圧変換部６２３の出力端子は、制御部４の電源端子及びフォトカプラ５１の入力側の他端と電気的に接続されている。また、電圧変換部６２３のグランド端子は、接地されている。つまり、制御電源回路６２は、平滑コンデンサ６２１で平滑された後の直流電圧を、ツェナーダイオード６２２で一定の電圧（ツェナー電圧ＶＺＤ）に降圧する。また、制御電源回路６２は、ツェナー電圧ＶＺＤを、電圧変換部６２３により安定化させる。そして、制御電源回路６２は、安定化されたツェナー電圧ＶＺＤを制御電源電圧として、制御部４及びフォトカプラ５１に供給可能なように構成されている。
【００２１】
供給部６３は、整流用ダイオード６３１と限流用の抵抗６３２とを有する。整流用ダイオード６３１のアノードは、直流電源部３の出力端と電気的に接続されている。整流用ダイオード６３１のカソードは、限流用の抵抗６３２の一端と電気的に接続されている。すなわち、供給部６３は、整流用ダイオード６３１と限流用の抵抗６３２とによる直列回路で構成されている。また、限流用の抵抗６３２の他端は、電圧変換部６２３の入力端子と電気的に接続されている。
【００２２】
また、点灯装置１は、センサ部４５を備えていることが好ましい。センサ部４５は、例えば人の有無を検出する人感センサ４５１で構成されていることが好ましい。人感センサ４５１は、人体から放射される赤外線を焦電素子で検出することにより、検出領域における人の存在を検出する。そして、人感センサ４５１は、人の存在を検出した場合に、検出信号を制御部４に出力する。人感センサ４５１は、人の存在を検出しない場合に、検出信号の出力を停止する。あるいは、人感センサ４５１は、電波や超音波を利用したアクティブ形のセンサでもよい。なお、焦電素子を用いた人感センサ４５１は、従来周知であり、詳細な構成の図示及び説明は省略する。
【００２３】
次に、本実施形態に係る点灯装置１の動作を説明する。
【００２４】
交流電源ＡＣ１が投入されると、交流電圧がダイオードブリッジ３１１で全波整流された後に、平滑コンデンサＣ２に供給される。よって、平滑コンデンサＣ２に電圧が供給され、制御回路３５の電源電圧入力端子（ＶＣＣ）に電圧が供給される。これにより、制御回路３５が動作する。また、交流電源ＡＣ１が投入されると、整流部６１を介して、制御電源回路６２に電圧が供給される。そして、制御電源回路６２により電力が供給された制御部４とセンサ部４５とが動作する。なお、初期状態では、切替部５は、直流電源部３をオフ状態に切り替えている。
【００２５】
次に、人感センサ４５１は、人の存在を検出した場合に、検出信号を制御部４に出力する。制御部４は、検出信号を取得した場合に、切替部５を制御して、スイッチング素子Ｑ１をオフする。これにより、直流電源部３がオン状態に切り替わる。したがって、直流電源部３から光源１００に直流電力が供給される。よって、光源１００が点灯する。なお、オン状態の直流電源部３は、供給部６３を介して、制御電源回路６２に電力を供給する。これにより、光源１００に対する電力供給で不足した分の電力が制御電源回路６２に補われている。
【００２６】
また、人感センサ４５１は、人の存在を検出しない場合に、検出信号を制御部４に出力しない。制御部４は、検出信号を取得しない場合に、切替部５を制御して、スイッチング素子Ｑ１をオンする。これにより、直流電源部３がオフ状態に切り替わる。したがって、直流電源部３から光源１００に対する直流電力の供給が停止する。よって、光源１００が消灯する。
【００２７】
ここで、点灯装置１では、図１に示すように平滑コンデンサＣ２、ダイオード３４０、抵抗３４１、スイッチング素子Ｑ１、インダクタ３２２、供給部６３及び制御電源回路６２が閉ループ回路７１を形成する場合がある。そして、直流電源部３が停止しているにも関わらず、閉ループ回路７１に電流が流れる場合がある。この場合、図２に示すように光源が電解コンデンサＣ４と電気的に並列接続されている。また、光源１００が、整流用ダイオード６３１、限流用の抵抗６３２及びツェナーダイオード６２２と電気的に並列接続されている。そして、電解コンデンサＣ４の両端電圧が、光源１００の順方向電圧よりも高い場合に、光源１００が発光してしまう。よって、直流電源部３がオフ状態にも関わらず、光源１００が僅かに発光する、いわゆる、微発光が発生するおそれがある。よって、光源１００が点灯してしまうように見えるおそれがあった。
【００２８】
これに対して、点灯装置１では、ツェナーダイオード６２２のツェナー電圧の電圧値は、供給部６３の電圧降下の電圧値Ｖａとツェナー電圧の電圧値ＶＺＤとの合計値を、光源１００を点灯させるために必要な電圧値よりも低い電圧値ＶＺＤに設定されている。これにより、電解コンデンサＣ４の電圧が、ツェナーダイオード６２２のツェナー電圧ＶＺＤに降圧される。よって、電解コンデンサＣ４には、ツェナー電圧ＶＺＤよりも大きな電圧が印加されない。したがって、直流電源部３がオフ状態で、光源１００に印加される電圧を、光源１００の順方向電圧よりも低くすることができる。これにより、直流電源部３がオフ状態の場合に、光源１００に電流が流れてしまうことが抑制できる。よって、ツェナー電圧が、光源を点灯させるために必要な電圧値よりも低い電圧値ＶＺＤに設定されていない特許文献１記載の点灯装置に比べて、光源１００の微発光の発生を抑制できる。
【００２９】
また、点灯装置１では、整流部６１は、整流用ダイオード６１１と、電圧降下用の抵抗６１２とを有している。所定の抵抗値の電圧降下用の抵抗６１２を用いることで、交流電源ＡＣ１から制御電源回路６２に供給される交流電圧の電圧値を所定の電圧値に調整することができる。
【００３０】
また、点灯装置１では、供給部６３は、整流用ダイオード６３１と、限流用の抵抗６３２とを有している。供給部６３の整流用ダイオード６３１のカソードは、制御電源回路６２のツェナーダイオード６２２のカソードと電気的に接続されている。所定の抵抗値の限流用の抵抗６３２を用いることで、直流電源部３から制御電源回路６２に供給される直流電流の電流量を所定の電流量に調整することができる。また、光源１００が点灯すると、交流電源ＡＣ１から光源１００に多くの電流が流れてしまう。よって、整流部６１からの供給電力のみでは、制御電源回路６２に供給される電力が不足してしまう場合がある。これに対して、供給部６３は、制御電源回路６２に電力を補うことができる。よって、制御電源回路６２に対する電力の供給が不足してしまうことを低減することができる。
【００３１】
点灯装置１は、センサ部４５を備えている。そして、センサ部４５が検出する所定の検出結果が、制御部４が直流電源部３のオン状態とオフ状態とを切り替えるトリガとして用いられている。したがって、制御部４は、センサ部４５の検出結果に応じて、直流電源部３のオン状態とオフ状態とを切り替えることができる。よって、センサ部４５が取得する点灯装置１の周りの変化に応じて、直流電源部３のオン状態とオフ状態とを切り替えない制御部に比べて、より利便性を向上することができる。
【００３２】
また、点灯装置１では、センサ部４５は人感センサ４５１を有している。したがって、検出範囲内に人が存在して光源１００を点灯させる必要性が高い場合に、光源１００を点灯させることができる。また、検出範囲内に人が存在せずに光源１００を点灯させる必要性が乏しい場合に、光源１００を消灯することができる。よって、人感センサ４５１を備えていないセンサ部に比べて、無駄な電力消費を低減することができる。なお、制御部４が直流電源部３のオン状態とオフ状態とを切り替えるトリガとして、人感センサ４５１による人の存在の検出結果が用いられている。
【００３３】
また、人感センサ４５１を有するセンサ部４５を示したが、これに限定されない。例えば、人感センサ４５１に替えて、検出範囲の明るさを検出するフォトＩＣ（Integrated Circuit）で構成された照度センサ（図示しない）を有するセンサ部４５でもよい。照度センサでは、検出範囲の照度に応じた照度電圧をフォトＩＣにより検出する。そして、照度センサは、コンパレータを用いて、検出された照度電圧の検出値と、しきい値としての所定の照度の電圧値とを比較し、しきい値以上の場合に、検出信号を出力する。したがって、光源１００を点灯させる必要性が乏しい検出範囲の照度が高い場合に、光源１００に対する直流電力の供給を停止することができる。よって、照度センサを有しない点灯装置に比べて、無駄な電力消費を低減することができる。なお、照度センサを用いた構成では、制御部４が直流電源部３のオン状態とオフ状態とを切り替えるトリガとして、照度センサにより検出された照度電圧の検出値と、所定の照度電圧値としてのしきい値との比較結果が用いられている。また、センサ部４５は、照度センサの他に、記憶部（図示しない）を有する構成でもよい。センサ部４５は、照度センサから出力された照度電圧の値が記憶部に記憶されたしきい値としての電圧値以上の場合に、検出信号を出力させることが好ましい。なお、トリガとして、照度センサにより検出された照度電圧の検出値との比較対象として、１種類のしきい値を用いた例を示したが、これに限定されず、２種類以上のしきい値を用いてもよい。例えば、第１しきい値と、第１のしきい値よりも大きな値の第２のしきい値を設定してもよい。この場合、照度電圧の検出値が、第１のしきい値以上であり、第２のしきい値未満の場合に、制御部４に検出信号を出力してもよい。
【００３４】
また、制御部４が直流電源部３のオン状態とオフ状態とを切り替えるトリガとして、センサ部４５から出力信号を制御部４が検出した結果を例示したが、これに限定されない。例えば、トリガは、リモコン信号等の検出結果でもよい。また、トリガは、直流電源部３のオン状態とオフ状態との切り替えと直流電源部３のオン状態とオフ状態との切り替えさせる時刻とのタイムスケジュールと、現在時刻との一致結果でもよい。これにより、所定のトリガが発生したタイミングで、制御部４は、直流電源部３のオン状態とオフ状態とを切り替えることができる。
【００３５】
上述のように実施形態に係る点灯装置１は、直流電源部３と、制御部４と、切替部５と、制御電源部６とを備える。直流電源部３は、交流電源ＡＣ１から供給される交流電力を直流電力に変換し、直流電力を光源１００に供給するように構成されている。切替部５は、直流電源部３が直流電力を供給するオン状態と、直流電源部３が直流電力を供給しないオフ状態とを択一的に切り替えるように構成されている。制御部４は、切替部５を制御して直流電源部３のオン状態とオフ状態とを切り替えることで光源１００を点減するように構成されている。制御電源部６は、交流電源から入力される交流電圧を整流する整流部６１を有する。制御電源部６は、交流電圧が整流部６１で整流された脈流電圧から制御電源電圧を生成し、制御電源電圧を制御部４に供給する制御電源回路６２を有する。制御電源部６は、直流電源部３から出力される直流電力を制御電源回路６２に供給する供給部６３を有する。制御電源回路６２は、脈流電圧を平滑する平滑コンデンサ６２１と、平滑コンデンサ６２１と電気的に並列接続されているツェナーダイオード６２２とを有する。ツェナーダイオード６２２のツェナー電圧ＶＺＤの電圧値は、供給部６３における電圧降下の電圧値とツェナー電圧ＶＺＤの電圧値との合計値を、光源１００を点灯させるために必要な電圧値よりも低くする電圧値である。
【００３６】
実施形態に係る点灯装置１が上述のように構成されているので、電解コンデンサＣ４の電圧が、ツェナーダイオード６２２のツェナー電圧ＶＺＤにクランプされる。よって、電解コンデンサＣ４の両端には、ツェナー電圧ＶＺＤよりも大きな電圧が印加されない。したがって、直流電源部３がオフ状態で、光源１００に印加される電圧を、光源１００の順方向電圧よりも低くすることができる。これにより、直流電源部３がオフ状態の場合に、光源１００に電流が流れてしまうことが抑制できる。よって、ツェナー電圧が、光源を点灯させるために必要な電圧値よりも低い電圧値ＶＺＤに設定されていない特許文献１記載の点灯装置に比べて、光源１００の微発光の発生を抑制できる。
【００３７】
また、実施形態に係る点灯装置１において、整流部６１は、整流用ダイオード６１１と、電圧降下用の抵抗６１２とを有することが好ましい。
【００３８】
実施形態に係る点灯装置１が上述のように構成されれば、所定の抵抗値の電圧降下用の抵抗６１２を用いることで、交流電源ＡＣ１から制御電源回路６２に供給される交流電圧の電圧値を所定の電圧値に調整することができる。
【００３９】
また、実施形態に係る点灯装置１において、供給部６３は、整流用ダイオード６３１と、限流用の抵抗６３２とを有する。供給部６３の整流用ダイオード６３１のカソードは、整流部６１の整流用ダイオード６１１のカソード及びツェナーダイオード６２２のカソードと電気的に接続されていることが好ましい。
【００４０】
実施形態に係る点灯装置１が上述のように構成されれば、所定の抵抗値の限流用の抵抗６３２を用いることで、直流電源部３から制御電源回路６２に供給される直流電流の電流量を所定の電流量に調整することができる。また、供給部６３は、制御電源回路６２に電圧を補うことができる。よって、制御電源回路６２に対する電力の供給が不足してしまうことを低減できる。
【００４１】
また、実施形態に係る点灯装置１において、制御部４は、所定のトリガが発生した場合に、切替部５を制御して直流電源部３のオフ状態とオン状態とを切り替えることが好ましい。
【００４２】
実施形態に係る点灯装置１が上述のように構成されれば、所定のトリガが発生したタイミングで、制御部４は、直流電源部３のオン状態とオフ状態とを切り替えることができる。
【００４３】
また、実施形態に係る点灯装置１において、トリガは、外部信号の入力である。そして、制御部４は、外部信号を取得した場合に、切替部５を制御して直流電源部３のオフ状態とオン状態とを切り替えることが好ましい。
【００４４】
実施形態に係る点灯装置１が上述のように構成されれば、点灯装置１の周囲の変化に応じて、直流電源部３のオン状態とオフ状態とを切り替えることができる。
【００４５】
また、実施形態に係る点灯装置１において、検出範囲の照度を検出する照度センサを有するセンサ部４５を備えることが好ましい。トリガは、照度センサにより検出した照度と所定のしきい値との比較結果であることが好ましい。制御部４は、照度センサで検出した照度がしきい値よりも低くなった場合に、切替部５を制御して直流電源部３のオフ状態をオン状態に切り替えることが好ましい。制御部４は、照度センサで検出した照度がしきい値よりも高くなった場合に、切替部５を制御して直流電源部３のオン状態をオフ状態に切り替えることが好ましい。
【００４６】
実施形態に係る点灯装置１が上述のように構成されれば、光源１００を点灯させる必要性が乏しい検出範囲の照度が高い場合に、光源１００に対する直流電力の供給を停止することができる。よって、照度センサを有しない点灯装置に比べて、無駄な電力消費を低減することができる。
【００４７】
また、実施形態に係る点灯装置１において、検出範囲の人の存在を検出する人感センサ４５１を有するセンサ部４５を備えている。トリガは、人感センサ４５１による人の存在の検出結果であることが好ましい。制御部４は、人感センサ４５１が人の存在を検出した場合に、切替部５を制御して直流電源部３のオフ状態をオン状態に切り替えることが好ましい。また、人感センサ４５１が人の存在を検出しなくなった場合に、切替部５を制御して直流電源部３のオン状態をオフ状態に切り替えることが好ましい。
【００４８】
実施形態に係る点灯装置１が上述のように構成されれば、検出範囲内に人が存在して光源１００を点灯させる必要性が高い場合に、光源１００を点灯させることができる。また、検出範囲内に人が存在せずに光源１００を点灯させる必要性が乏しい場合に、光源１００を消灯することができる。よって、人感センサ４５１を備えていない制御部に比べて、無駄な電力消費を低減することができる。
【００４９】
次に図３Ａ及び図３Ｂを参照して、本発明の一実施形態に係る照明器具７０１を説明する。
【００５０】
図３Ａに示す照明器具７０１は、天井仕上げ材Ｓ１に埋込配設されるダウンライトである。照明器具７０１は、光源１００を内蔵した器具本体７０２と、天井仕上げ材Ｓ１の裏側（上側）に設置されるＬＥＤ駆動装置Ａ１とで構成される。
【００５１】
器具本体７０２は、アルミダイカスト等の金属材料により下面が開口した有底円筒形状に形成されていることが好ましい。器具本体７０２は、内底面に光源１００が取り付けられていることが好ましい。また、器具本体７０２は、内底面にセンサ部４５が取り付けられていることが好ましい。器具本体７０２は、下面開口が円板状のカバー７０３で閉塞されていることが好ましい。なお、カバー７０３は、ガラスやポリカーボネート等の透明性材料で形成されていることが好ましい。
【００５２】
ＬＥＤ駆動装置Ａ１は、矩形箱状に形成された金属製のケースに収容されている。また、ＬＥＤ駆動装置Ａ１は、電源ケーブル７０５とコネクタ７０６を介して、器具本体７０２の光源１００と接続される。
【００５３】
一方、図３Ｂに示す照明器具７１１は、天井仕上げ材Ｓ１に埋込配設されるダウンライトである。照明器具７１１は、光源１００とＬＥＤ駆動装置Ａ１を器具本体７１２内に収容して構成されていることが好ましい。器具本体７１２は、アルミダイカスト等の金属材料により下面が開口した有底円筒形状に形成されていることが好ましい。器具本体７１２は、円板状の仕切板７１３によって内部空間が上下に分割されていることが好ましい。また、器具本体７１２の下面開口は、ガラスやポリカーボネート等の透明性材料で形成される円板状のカバー７１４で閉塞されることが好ましい。
【００５４】
光源１００は仕切板７１３の下面側に配設されることが好ましい。センサ部４５は、仕切板７１３の下面側に配設されることが好ましい。また、ＬＥＤ駆動装置Ａ１は、仕切板７１３の上部空間に収容され、電源ケーブル７１５によって光源と電気的に接続されていることが好ましい。
【００５５】
上述のように、照明器具７０１は、点灯装置１と、点灯装置１を有する器具本体７０２とを備える。
【００５６】
実施形態に係る照明器具７０１は上述のように構成されているので、微発光の発生を抑制できる点灯装置１を備えることができる。
【符号の説明】
【００５７】
１  点灯装置
３  直流電源部
４  制御部
５  切替部
６  制御電源部
４５  センサ部
６１  整流部
６２  制御電源回路
６３  供給部
１００  光源
４５１  人感センサ
６１１  整流用ダイオード
６１２  電圧降下用の抵抗
６２１  平滑コンデンサ
６２２  ツェナーダイオード
６３１  整流用ダイオード
６３２  限流用の抵抗
７０１  照明器具
７０２  器具本体
７１１  照明器具
７１２  器具本体
ＡＣ１  交流電源
【図１】
0006611051.tif 000002
【図２】
0006611051.tif 000003
【図３】
0006611051.tif 000004